(57)【要約】      （修正有）【課題】電路の１線（電圧側線またはアース側線）と大地間に接続し、確実に系統を判定できる電路系統の判定装置を提供する。【解決手段】２次巻線の１端子を大地に接続した変圧器１の負荷側の複数の配電系統の上流と下流の接続系統を判別する際に，上流側の任意の系統の零相電流を検出する手段５０１，５０２と判定する手段５０３と、下流側の任意の系統で配線の１端子と大地間に接続される電圧検出判定手段６０３とインピーダンス６０４と電圧発生手段６０５と接続切替手段６０６から成り、所定の条件に応じて、前記インピーダンス６０４または電圧発生手段６０５を選択して接続し、検出された零相電流が前記インピーダンス６０４または電圧発生手段６０５を接続したことによるものであると前記電圧検出判定手段６０３が判定したとき、判定装置を設置した配線または機器の系統は同一であると判定する。【選択図】図１
2010048577.tif 000002
【特許請求の範囲】
【請求項１】
２次巻線の１端子を大地に接続した変圧器の負荷側の複数の配電系統の上流と下流の接続系統を判別する装置において，上流側の任意の系統の零相電流を検出する手段と判定する手段を含む回路Ａと下流側の任意の系統で配線の１端子と大地間に接続される回路Ｂより成り，回路Ｂには前記配線の１端子と大地間に接続される電圧検出判定手段とインピーダンスと電圧発生手段と接続切替手段を含み，電圧判定手段が系統の配電電圧を検出したときは前記配線の１端子と大地間にインピーダンスを接続切替手段が選択して接続する一方，検出しなかったときは電圧発生手段を接続切替手段が選択して接続し，回路Ａで検出した零相電流が前記の回路Ｂにおけるインピーダンスまたは電圧発生手段を接続したことによるものであると前記電圧検出判定手段が判定したとき回路Ａを設置した配線または機器の系統と回路Ｂを設置した配線または機器の系統は同一であるとの判定結果を出力することを特徴とする系統判別装置。
【請求項２】
前記回路Ａの零相電流がインピーダンスあるいは電圧発生手段を接続したことによるものであるとの判定要素には，電流の大きさを含むものであることを特徴とする請求項１の系統判別装置。
【請求項３】
前期回路Ｂのインピーダンスは抵抗とし，前記回路Ａの判定回路は回路Ｂの電圧検出判定手段が検出した電圧あるいは電圧発生手段が発生した電圧の位相をもとにして，回路Ａが検出した電流から抵抗分による電流を検出し，該抵抗分による電流の大きさが回路Ｂのインピーダンスあるいは電圧発生手段を接続したことによるものであると判定することを特徴とした請求項１の系統判別装置。
【請求項４】
前記回路Ａの零相電流がインピーダンスまたは電圧発生手段を接続したことによるものであるとの判定要素には，符号化信号の符号を含み，インピーダンスまたは電圧発生手段は符号化制御手段で符号化制御を行うことを特徴とした請求項１の系統判別装置。
【発明の詳細な説明】
【技術分野】
【０００１】
本発明は，同一の変圧器から分岐された複数の配電系統の上位側の機器・配線と下位側の機器・配線が同一の系統にあるかどうかを探査する装置に関する。
【背景技術】
【０００２】
既設の配電系統では，下位の機器が系統の上位のどの機器に接続されているかどうかを探査しなければならない場合がある。
【０００３】
このような探査に使用される装置として特許文献１から特許文献３のようなものが知られている。
【０００４】
特許文献１は，末端電路の電圧線と大地の間にサイクリック的な漏洩電流を発生させ，その電流を上位の電路で検出できるかどうかで電路系統を識別しようとするものであるが，末端電路に大地漏洩電流を発生させ上位電路で漏洩電流を検出するようにしているので，末端側の装置を接続する電路の線は必ず電圧側線でなければならず，アース側の線に接続した場合は電圧側線に接続しなおさなければならない。
【０００５】
特許文献２は，末端の電路の線間に高周波信号を注入し，上位の電路の分岐部を跨いで２箇所で信号位相を検出し，位相が同一であるかどうかで電路系統を識別しようとするものであるが，電路の２線間に末端側の装置を接続しなければならず，下位側の配線の２線間に機器を接続する場合，コンセントなどのように操作性と安全性に配慮されたような接続器であれば問題ないが，探査したい箇所の機器がブレーカのようなものである場合，ブレーカの各極の端子のうち２つの充電部に接続しなければならず，２つの充電部は至近距離に配置されているから，誤って異極の端子間をショートさせるなどの事故がおきる可能性がある。また通常の場合ブレーカの端子カバーには検電用の小孔が空いているが，古いタイプのブレーカでは小孔が１個しか明いていないことがあり，そのような場合では文献２の方法では充電部保護カバーを外して作業しなければならず，異極端子間をショートさせてしまう危険性が高くなる。
【０００６】
特許文献３は，末端電路の１線と大地間，あるいは電路の線間に高周波と低周波の２種類の信号を注入し，上位の電路で，大まかな探査は高周波で，最終的な探査は低周波を用いて系統を識別しようとするものであるが，末端電路側の装置の接続は１線と大地間または２線間のいずれでもよいという利点がある反面，電路網が大規模で末端側に設置する装置と幹線側上位に設置する装置の距離が遠い場合の系統の探査を想定しており，装置構成や測定手順が複雑である。現実的には後述する複数の電力量計と直下の複数の開閉器の対応関係のように比較的至近距離の下位と上位の系統探査が必要な場合も多く，そのような場合はより構成も測定方法も簡単で安価な装置が望まれる。
【特許文献１】特開昭６３−３３６６９号公報
【特許文献２】特開平７−１１３８３４号公報
【特許文献３】特開２００６−１８４２４６号公報
【発明の開示】
【発明が解決しようとする課題】
【０００７】
そこで本件発明は，末端側の装置は電路の１線と大地間に接続する方式で異極端子間のショートなどが起きにくく，且つ装置を接続する電路の１線は電圧側線でもアース側線でもよくて一旦接続すれば接続替えの必要がなく，装置構成と測定方法が簡単で確実に判定できる電路系統の判定装置を提供することを課題にしている。
【課題を解決するための手段】
【０００８】
請求項１は，２次巻線の１端子を大地に接続した変圧器の負荷側の複数の配電系統の上流と下流の接続系統を判別する装置において，上流側の任意の系統の零相電流を検出する手段と判定する手段を含む回路Ａと下流側の任意の系統で配線の１端子と大地間に接続される回路Ｂより成り，回路Ｂには前記配線の１端子と大地間に接続される電圧検出判定手段とインピーダンスと電圧発生手段と接続切替手段を含み，電圧判定手段が系統の配電電圧を検出したときは前記配線の１端子と大地間にインピーダンスを，接続切替手段が選択して接続する一方，検出しなかったときは電圧発生手段を接続切替手段が選択して接続し，回路Ａで検出した零相電流が前記の回路Ｂにおけるインピーダンスまたは電圧発生手段を接続したことによるものであると前記電圧検出判定手段が判定したとき回路Ａを設置した配線または機器の系統と回路Ｂを設置した配線または機器の系統は同一であるとの判定結果を出力することを特徴とする系統判別装置を提供したものである。
【０００９】
請求項２は，前記回路Ａの零相電流がインピーダンスあるいは電圧発生手段を接続したことによるものであるとの判定要素には，電流の大きさを含むものであることを特徴とする請求項１の系統判別装置を提供したものである。
【００１０】
請求項３は，前記回路Ｂのインピーダンスは抵抗とし，前記回路Ａの判定回路は回路Ｂの電圧検出判定手段が検出した電圧あるいは電圧発生手段が発生した電圧の位相をもとにして，回路Ａが検出した電流から抵抗分による電流を検出し，該抵抗分による電流の大きさが回路Ｂのインピーダンスあるいは電圧発生手段を接続したことによるものであると判定することを特徴とした請求項１の系統判別装置を提供したものである。
【００１１】
請求項４は，前記回路Ａの零相電流がインピーダンスまたは電圧発生手段を接続したことによるものであるとの判定要素には，符号化信号の符号を含み，インピーダンスまたは電圧発生手段は符号化制御手段で符号化制御を行うことを特徴とした請求項１の系統判別装置を提供したものである。
【発明の効果】
【００１２】
本件発明によれば，２次巻線の１端子を大地に接地した変圧器の負荷側の複数の配電系統の上位側と下位側の系統を探査する装置において，末端側の回路は電路の１線と大地間に接続する方式で異極端子間のショートなどが起きにくく，且つ装置を接続する電路の１線は電圧側線でもアース側線でもよくて一旦接続すれば接続替えの必要がなく，装置構成と測定方法が簡単で確実に判定できる電路系統の判定装置を提供できる。
【発明を実施するための最良の形態】
【００１３】
次に本件発明を図面により詳細に説明する。図１は本件発明の第一の実施例の図である。図において１は変圧器で２次側巻き線の一端を大地に接続してあり，２次側巻き線からは複数の系統電路２０１，２０２，２０３・・・に分岐している。３０１，３０２，３０３・・・は系統毎の上位側に設けられた積算電力量計で，下位側には系統毎にブレーカ４０１，４０２，４０３・・・が接続してある。積算電力量計３０１，３０２，３０３・・・とブレーカ４０１，４０２，４０３・・・は系統毎に対応しているが，配置を含めそれらの間の配線接続の接続状況は不明で，積算電力量計とブレーカの対応関係を判別したいものとする。
【００１４】
５と６は本件発明による系統判別装置で，５が系統の上位側の配線をクランプする回路Ａ，６が系統の下位側に接続される回路Ｂであり，回路Ａは系統配線の零相電流を検出する変流器５０１，零相電流検出回路５０２，判定回路５０３から構成される。回路Ｂは，ブレーカの端子のうちの１つに接続されるリード線６０１，ＷＨＭやブレーカを収納した金属ボックスなどの接地端子７に接続されるリード線６０２，リード線６０１と６０２間に接続される電圧検出判定手段６０３，インピーダンス６０４，電圧発生手段６０５，電圧検出判定手段６０３の検出結果に基づいてインピーダンス６０４と電圧発生手段６０５の接続を選択的に切り替える接続切替手段６０６から構成される。
【００１５】
なお，リード線６０１はブレーカ端子部の充電部カバーに明けられた検電用の穴からブレーカの複数の端子のうちのひとつに接触棒のような形で接続されるよう構成される。
【００１６】
次に，本件発明の装置の動作について説明する。まず回路Ａの零相変流器５０１を積算電力量計側の任意の系統電線に装着する。その後，回路Ｂのリード線６０１と６０２を下位のブレーカ側で６０１はブレーカ端子のうちひとつに，６０２はアース端子に接続すると，電圧検出判定手段６０３がリード線６０１を接続したブレーカ端子とリード線６０２を接続した大地間の電圧を検出判定する。図１では，リード線６０１は電圧（Ｌ）側線の端子に接続されているので電圧検出判定手段６０３は変圧器２次側の端子電圧を計測するので電圧があると判定し，切替接続手段６０６をインピーダンス６０４側に切り替える。
【００１７】
インピーダンス６０４がリード線６０１と６０２間に接続された時点で，Ｌ側の電圧線から大地に対してインピーダンス６０４に応じた電流Ｉｚが流れる。図１では零相変流器５０１を設置した系統配線はリード線６０１を接続した系統と同一であるから，零相変流器５０１と検出回路５０２は電流Ｉｚを検出し，判定回路５０３はリード線６０１を接続したブレーカ４０１は零相変流器５０１を取り付けた系統の積算電力量計３０１と同一系統上にあり対応関係にあると判定し結果を音声や視覚的表示などで出力する。なお出力は判定回路５０３に含まれてもよいし，５０３の出力を受けて表示する手段を別途設けてもよい。
【００１８】
電圧検出判定手段６０３がリード線６０１と６０２間に相応の電圧を検出しない場合，接続切替手段６０６は電圧発生手段６０５側に切り替わる。この場合，リード線６０１を接続したブレーカの端子はアース（Ｎ）側線であるから，全体として図２のようになり，系統のアース（Ｎ）側の電線，トランスの接地線，大地，ブレーカ側の接地を経路として電圧発生手段６０５による電流Ｉｇが系統に流れる。回路Ａは，零相変流器５０１と検出回路５０２がＩｇを検出した場合に，判定回路５０３は，ブレーカ４０１が積算電力量計３０１に接続されていると判定し，結果を出力する。
【００１９】
もしリード線６０１を接続したブレーカが，積算電力量系３０１の系統でない場合は零相変流器５０１は前述のＩｚもＩｇも検出しないから回路Ａは系統が同一であるとの出力はしない。その場合，リード線６０１の接続を，ブレーカ４０２，４０３・・・と順次接続しなおすか，回路Ａの零相変流器５０１を積算電力量計の符号で３０２，３０３，３０４・・・と順次装着しなおして行き，出力が出たところで積算電力量計のどれとブレーカのどれが同一系統上にあるかを判別できる。
【００２０】
以上の説明において，４０１のブレーカの上位に既設の漏電リレーや漏電遮断器などの地絡検出装置がある場合，ＩｚもしくはＩｇの大きさは該地絡検出装置の感度電流未満であることが必要である。例えば家庭用の場合，漏電遮断器の定格感度電流は一般的に３０ｍＡが用いられるのでその定格不動作電流１５ｍＡ未満が望ましい。また，図１に示す当該電路２０１の対地静電容量分９により装置接続前に既に暗漏洩電流が流れている場合があり，また，電路２０１，２０２・・・のアース線側に対地静電容量分８，１０・・・があるような場合，インピーダンス６０４に流れるＩｚは大地を帰路として変圧器１のＮに流れる経路と対地静電容量分８，１０・・・から電路２０１，２０２・・・のアース側線を通じて変圧器のＮに流れる経路を分流する。また図２におけるＩｇについても同様の影響がある。さらに漏洩電流にその他のノイズ等がある場合があり，それらが判定回路５０３の判定に対して制約を与える可能性がある。しかし，次のように対応が考えられる。
【００２１】
まず，前述のブレーカ４０１の上位に漏電遮断器があることを考慮して，さらにＩｚ，Ｉｇを凡そ同一となるようにインピーダンス６０４，電圧発生手段６０５の仕様を設定し，若干の誤差を見込んで判定回路５０３の判定のための電流閾値を設定する方法である。図１で積算電力量計の各系統負荷が一般の家庭であるような場合，
通常は変圧器１のＮ極側の接地抵抗は１０Ω以下，端子７の接地抵抗は５００Ω以下であるから，Ｉｚ，Ｉｇを１０ｍＡ程度に設定するとすれば，インピーダンス６０４は電源電圧を１００Ｖとすれば１０ｋΩ程度となるが，接地抵抗が１０Ω＋５００Ω以下であればＩｚはほとんど変化ない。また電圧発生手段６０５を定電流源とすれば，接地抵抗最大１０Ω＋５００Ωに１０ｍＡを流す場合の出力電力も５１０Ω×１０ｍＡ×１０ｍＡ＝０．０５Ｗ程度で済むから簡単に構成できる。
【００２２】
その場合の図１，図２における対地静電容量８，９・・・の影響について考察する。前述のように２０１，２０２，２０３・・・の負荷が通常家庭で用いられるものであり，定格感度電流が３０ｍＡの漏電遮断器が設置してあるような電路である場合，対地静電容量による漏洩電流も最大でも前述の定格不動作感度電流１５ｍＡ未満であろうと考えられる。一般的には数ｍＡ以下であるから，対地静電容量のインピーダンスは数十ｋΩ以上であると考えられる。図１においてインピーダンス６０４に流れる電流はリード線６０２から接地端子７，大地を通じて変圧器１の接地端子Ｎに流れる経路とリード線６０２から接地端子７，対地静電容量８，電路２０１のアース側線を通じて変圧器１の接地端子Ｎに流れる経路，対地静電容量１０，電路２０２のアース側線を通じて変圧器１の接地端子Ｎに流れる経路（以下，電路２０３，２０４についても同じ）に分流するが，大地を経路とする場合の抵抗は前述のとおり１０Ω＋５００Ωであり，対地静電容量８，１０・・・を経路とする場合のインピーダンスはそれぞれ数十ｋΩであるので，ほとんど対地静電容量８，１０，・・・側を流れない。従って，判定回路の検出閾値を１０ｍＡよりやや低めに設定すれば，図１の電路２０１ではＩｚを検出でき，電路２０２では対地静電容量１１を経路とする暗漏洩電流を含めてもＩｚには至らないので誤検出することはない（電路２０３，２０４・・・も同じ）。
【００２３】
図２の場合，電圧発生手段６０５によって流れる電流Ｉｇも，リード線６０１から電路２０１のアース側線を通じて流れる電流と，大地静電容量８から大地を経由して変圧器１のＮ側端子に流れる電流とに分流し，電路２０１のアース側線に流れる電流もまたその先で，変圧器１のＮ端子から大地を経由して戻る経路と電路２０２のアース側線，対地静電容量１０から大地を経由して戻る経路（電路２０３，２０４・・・も同じ）に分流するが，先の図１の説明に同じく，大地を経路とする抵抗は最大でも５１０Ω程度であり，対して対地静電容量８，１０・・・のインピーダンスはそれぞれ数十ｋΩであるので，対地静電容量８，１０を流れる電流はほとんどなく，電路２０１ではＩｇを検出でき，電路２０２では対地静電容量１０による漏洩電流を含めてもＩｇに至らないので誤検出することはない（電路２０３，２０４も同じ）。従って，ＩｚとＩｇの値をほぼ同一となるようにして，且つ判定回路の電流閾値をＩｚとＩｇよりやや低い値に選定し，ＩｚあるいはＩｇの値を適当に設定すれば，ほとんどの場合，誤判定なしに系統を判定できる。
【００２４】
しかし，各電路の対地静電容量のインピーダンスが上述の説明より低く，例えば，電路毎に対地静電容量による漏洩電流が１０ｍＡ程度もあるような場合は，上述の方法のみでは次のように誤判定となる。
【００２５】
まず，図１の場合，判定回路の判定電流閾値は上述の方法によれば１０ｍＡよりやや低い値に設定することになるが，電路毎の対地静電容量による漏洩電流が１０ｍＡ程度であるから，図１でインピーダンス６０４によるＩｚを１０ｍＡに設定しても，電路２０１，２０２・・・の漏れ電流はいずれも１０ｍＡ程度以上あることになり，インピーダンス６０４を接続した電路２０１を特定できない。
【００２６】
次に，図２の場合，電圧発生手段６０５の発生電圧周波数が電路の周波数と同一である場合，発生電圧の位相によっては，前述の対地静電容量による漏洩電流の位相との関係で，変流器５０１が検出する電流がＩｇより小さくなる場合があり，その場合，電圧発生装置６０５を接続した電路を特定できない。
【００２７】
この場合，図１のインピーダンス６０４は抵抗分のインピーダンスとして図１の電圧検出判定手段６０３の検出した電圧の位相データと測定した電流データ，図２の電圧発生手段６０５の発生電圧周波数は電路電圧の周波数ではない周波数とし発生した電圧の位相データと測定した電流データのうち発生電圧周波数成分のみをフィルタリング抽出した電流データをもとに，判定回路５０３は電流データから抵抗分に流れている電流のみを検出し，検出した抵抗分の電流で閾値を前述のＩｚまたはＩｇよりやや低い電流に設定すればよい。そのようにすれば，図１のＩｚ，図２のＩｇのみの大きさを検出できるから誤判定がない。なお，図２の場合電圧発生手段６０５の発生周波数を電路電圧の周波数の整数分の１あるいは整数倍とすれば前述のフィルタリング処理を省略してもよい。
【００２８】
ここで，電圧の位相データをもとに抵抗分のみの電流を抽出する方法について簡単に説明する。図３は交流電圧に対し抵抗とコンデンサが接続されている場合の電圧と電流の関係の概念図で，電圧ｖに対し抵抗分電流Ｉｒは電圧ｖと同相であって，容量分電流Ｉｃは電圧ｖより９０度位相が進んでおり，ＩｏはＩｒとＩｃの合成電流となって電圧ｖより位相角θだけ進んでいる。従って，電圧位相が分かっていれば，電流Ｉｏとの位相差を測定し，Ｉｏ×ｃｏｓθを計算することでＩｒが得られる。
【００２９】
また図４の方法によっても図３のＩｒを求めることができる。図４の（イ）は電路電圧ｖであり，（ロ）は抵抗分に流れる電流Ｉｒであり，（ニ）は容量分に流れる電流Ｉｃである。ここで，電圧ｖの半波毎の位相によって電流ＩｒとＩｃの波形を反転する。つまり（イ）の波形のａからｂの区間は電圧が＋であるので，ＩｒとＩｃの波形はそのまま，（イ）の波形のｂからｃの区間は電圧が−であるので，ＩｒとＩｃの波形を反転する。その結果Ｉｒは（ハ）に，Ｉｃは（ホ）のようになって平均すると，Ｉｒは＋の値に，Ｉｃは零となるからＩｃ分をキャンセルできる。
【００３０】
図１の場合で，インピーダンス６０４を抵抗とすれば，Ｉｚは電路電圧と同相の電流となるから，変流器５０１が検出した電流を，電圧検出手段６０３が検出した電路電圧データをもとに図３または図４の方法でＩｚのみを抽出すれば，図１の場合では誤判定がなくなる。
【００３１】
次ぎに図２の電圧発生手段による発生電圧の周波数と，商用の電路電圧により対地静電容量を通じて流れる暗漏洩電流の周波数の関係において，電圧発生手段の発生する電圧の周波数が暗漏洩電流の周波数の整数分の１または電圧発生手段の発生する電圧の周波数が暗漏洩電流の周波数の整数倍のときに，図４の方法を適用した場合について説明する。図５は（イ）電圧ｖの周波数が（ロ）電流Ｉの周波数の１／２の場合で図４の方法を適用したときの説明図である。電圧ｖの波形のａからｂの区間は電流Ｉをそのまま，ｂからｃの区間は電流Ｉを反転すると電流は（ハ）のような波形になり電流Ｉの大きさはその位相に関係なく電圧の１サイクルの平均値をとれば零にできる。
【００３２】
同じく，図６は（イ）電圧ｖの周波数が（ロ）電流Ｉの周波数の２倍のときに図４の方法を適用した場合に，電圧ｖのａからｂの区間は電流Ｉをそのまま，ｂからｃの区間では電流Ｉを反転すれば（ハ）のような波形になり電流Ｉの大きさはその位相に関係なく電圧の２サイクル分の周期における平均値をとれば零にできる。すなわち，前述のように図２の電圧発生手段６０５の発生電圧の周波数を電路電圧の周波数の整数分の１あるいは整数倍とすれば，電路電圧により対地静電容量に流れる暗電流の影響を零にでき，電圧発生手段６０５による電流Ｉｇだけを判別できるから電路の暗漏洩電流による誤判定がなくなる。
【００３３】
積算電力量計３０１，３０２・・・とブレーカ４０１，４０２・・・が同一ボックス内にあるなど至近距離にある場合は，５の回路Ａと６の回路Ｂを同一筐体内に構成して，該筐体から変流器５０１とリード線６０１，６０２を必要長さ分延出すればよい。そのようにすれば判定回路５０３は電圧検出判定装置６０３と電圧発生手段６０５の電圧位相のデータを容易に得ることができ前述の図３ないし図６のような演算処理が可能となる。また回路Ａと回路Ｂを別の筐体に構成しなければならない場合は，その間を有線，無線信号により電圧検出判定手段と電圧発生手段の位相のタイミング（図４から図６におけるａ，ｂ，ｃ）をパルス信号などで回路Ｂから回路Ａに送信すれば回路Ａで演算処理が可能である。
【００３４】
別の方法として，インピーダンス６０４は図７の（ａ）（ｂ）（ｃ）のように符号化制御手段６０７により可変とし，Ｉｚが図８のように適当なパターンで断続あるいは変化するようにして符号化してもよく，判定手段５０３の判定条件に符号整合性を加えてもよい。電圧発生手段６０５の発生電圧についても図９のような構成にしてＩｇが図９のように符号化制御手段６０８により変化するようにして判定手段５０３の判定条件にその変化の符号整合性を加えてもよい。
【００３５】
そのようにすれば，大地漏洩電流が大きい場合も，変流器５０１が検出した電流が，対地漏洩電流か回路Ｂを接続したことによる電流かの判別が容易にできる。
【００３６】
以上のような系統探査装置は，下位側のブレーカではひとつの端子に接触するだけでよいから，古い設備でブレーカの端子カバーの検電用の小孔がひとつしか空いていない場合でも端子カバーを外すことなく系統判別ができて測定時に短絡などの事故を起こす可能性が低く安全である。また，大地間電圧を測定してインピーダンスと電圧発生手段の接続を切り替えるようにしているので，リード線６０１を接続した電線がアース線側であってもリード線６０１を電圧側線に接続換えする必要がない。万一ひとつしかない検電用の小孔のＬとＮの配線間違いがあり，リード線６０１を接続した端子がＮ側であった場合でも系統を判別できる。そのうえ，測定方法が容易で，確実に系統の判別が可能である。
【産業上の利用可能性】
【００３７】
本件発明は，上述の積算電力量計とブレーカの対応関係の探査のほか，より下位のブレーカとコンセントなどの系統探査にも利用可能である。 
【図面の簡単な説明】
【００３８】
【図１】本件発明の装置の使用と構成を示す図。
【図２】本件発明の装置の使用と構成を示す図。
【図３】抵抗分電流Ｉｒと容量分電流Ｉｃの合成電流から抵抗分電流Ｉｒを検出する方法の説明図
【図４】同上
【図５】電圧の周波数が電流の周波数の整数分の１の場合に図４の方法で電流の影響をキャンセルできる説明図
【図６】電圧の周波数が電流の周波数の整数倍の場合に図４の方法で電流の影響をキャンセルできる説明図
【図７】インピーダンスに符号制御手段を設けた場合の例。
【図８】電流の変化パターンの一例を示す図。
【図９】電圧発生手段に符合制御手段を設けた場合の例。
【符号の説明】
【００３９】
１  変圧器
２０１〜２０４  系統の配線
３０１〜３０４  積算電力量計
４０１〜４０４  ブレーカ
５  回路Ａ
５０１  零相変流器
５０２  検出回路
５０３  判定回路
６  回路Ｂ
６０１，６０２  リード線
６０３  電圧検出判定回路
６０４  インピーダンス
６０５  電圧発生手段
６０６  接続切替手段
６０７  符号制御手段
６０８  符号制御手段
７  接地端子
【図１】
2010048577.tif 000003
【図２】
2010048577.tif 000004
【図３】
2010048577.tif 000005
【図４】
2010048577.tif 000006
【図５】
2010048577.tif 000007
【図６】
2010048577.tif 000008
【図７】
2010048577.tif 000009
【図８】
2010048577.tif 000010
【図９】
2010048577.tif 000011